(57)【特許請求の範囲】
【請求項１】
軸を中心に相対的に変位可能なものであって対象物を切断するための２つの刃と、軸を中心に相対的に変位可能なものであって切り離した対象物を挟持する２つのクランプとを有し、自然状態から対象物を切断する方向に２つの刃を動作させた場合に、一方の刃と連動して一方のクランプが他方のクランプ側に向けて移動すると共に他方の刃と連動して他方のクランプが一方のクランプ側に向けて移動し、２つの刃が遭遇するより前に２つのクランプが先行して接触し、その後２つの刃が対象物を切断する鋏において、一方のクランプにカムを備え、一方の刃には前記軸を挿通させる長孔を形成し、この長孔を形成した刃に前記カムに接するための従動体を備え、前記従動体と前記カムとがお互いに押し付けられるように前記一方のクランプと前記一方の刃とを接続する弾性体を備えたことを特徴とする鋏。
【発明の詳細な説明】
【発明の属する技術分野】
【０００１】
本発明は、草木や果実等の収穫に使用するクランプ付きの鋏に関する。
【従来技術】
【０００２】
草木や果実等の収穫に使用する従来のクランプ付きの鋏としては、図６に示すようなものが知られている。図６において１ａ’は切刃、１ｂ’は平面状の受刃で、鋏は押切りタイプになっている。２ａ’は切刃１ａ’と一体に設けられたクランプである。このクランプ２ａ’は、受刃１ｂ’と連続的に設けられているクランプ面２ｂ’と共同して、切刃１ａ’と受刃１ｂ’でカットされたものを把持する事ができる。従って、従来のクランプ付きの鋏は、両手を使わなくても、カットしたものを収穫できる。
しかし,このクランプ２ａ’は切刃１ａ’の閉止につられて動作し、カットの対象物に接する初期は把持力が弱く、対象物の径又は厚さが大なる場合は、その後切刃１ａ’のカットが進むにつれてクランプ２ａ’の弾性力により徐々に把持力が強くなる。即ち、カットの初期には把持力が弱く、また、対象物の径によっても最終把持力は変わってしまう。従って、場合によっては不充分な把持力しか得られないという欠点もある。この欠点を解消するために、クランプと最終的に係合して押圧する押体を備えた鋏が特許文献１に提案されている。
【０００３】
【特許文献１】
特開平１０−１１８３５６
【発明の開示】
【発明が解決しようとする課題】
【０００４】
しかし、特許文献１の構造のものにおいては、カット後にしか把持力が得られない場合や、カット対象物の形状によっては、クランプへの押体の係合によってカットが中途で止まってしまう場合等が生ずる事がある。
【０００５】
本発明の鋏は、軸を中心に相対的に変位可能なものであって対象物を切断するための２つの刃と、軸を中心に相対的に変位可能なものであって切り離した対象物を挟持する２つのクランプとを有し、自然状態から対象物を切断する方向に２つの刃を動作させた場合に、一方の刃と連動して一方のクランプが他方のクランプ側に向けて移動すると共に他方の刃と連動して他方のクランプが一方のクランプ側に向けて移動し、２つの刃が遭遇するより前に２つのクランプが先行して接触し、その後２つの刃が対象物を切断する鋏において、一方のクランプにカムを備え、一方の刃には前記軸を挿通させる長孔を形成し、この長孔を形成した刃に前記カムに接するための従動体を備え、前記従動体と前記カムとがお互いに押し付けられるように前記一方のクランプと前記一方の刃とを接続する弾性体を備えたことを特徴とするものである。
【０００６】
本発明の鋏では、把持力で対象物を挟持した後に更に把持力を加えると、刃がスライド動作をして対象物をカットする。刃のスライド動作による対象物のカットにより、対象物のカット効果を向上させる。また、カット中においてカット力の高いもの程把持力も高くなり，且つカット後も鋏の把持力を全て把持力とし、クランプで対象物を挟持出来る。
【０００７】
次に、本発明を図面に基づいて説明する。図1は本発明に係る鋏の一実施例を示す背面図で、鋏の自然状態を示すものである。図２は対象物をカットする前の対象物の挟持状態における鋏を示す図面であり、左側に背面を中央に側面を右側に正面を示すものである。図３はカットが進んだ状態の鋏を示すものであり、左側に背面を右側に正面を示すものである。図４は本発明の鋏の構成部品である上刃を示す図面であり、左側に背面を中央に側面を右側に正面を示すものである。図５は第2クランプを示す図面であり、左側に背面を右側に側面を示すものである。
【０００８】
図１乃至図５において、１は下刃、２は上刃、３は第１クランプ、４は第２クランプであって、それらが軸5に軸装されている。下刃１は第1クランプ3に固定されている。第2クランプ4は、そのクランプ面が第1クランプ3のクランプ面に相対して構成される。上刃２は、第２クランプとは固定されていない。図４に示すように、上刃2から伸びる延長部２’には、軸5の径巾の長孔１１が設けられており、その長孔１１に軸５が嵌合している。延長部２’には、ローラーである従動体１０が軸装され、かつピン１２が設けられている。図５に示すように、第２クランプ４の中心位置に軸５に嵌合する孔１５が設けられ、第2クランプ４からの延長部４’の末端側面にはカム１３が形成されている。延長部４’に弾性体としてのスプリング１４の一端が懸架されている。上記上刃2の長孔１１及び第2クランプ4の孔１５を軸5に嵌合させて組み上がった鋏が図１に示すものである。上刃2の延長部２’に設けられるピン１２にスプリング１４の他端が掛けられ、そのスプリング１４には相当の初期張力が与えられる。この初期張力によって、従動体１０はカム１３に押し付けられる。従動体１０はカム１３に押し付けられた状態で、上刃２は移動範囲の一端位置に止められる。
【０００９】
図１の自然状態から対象物をクランプ挟持する把持力を加えると、上刃2と第2クランプ4はこの相互位置関係を保ちながら、図１の状態から図２の状態迄は一体となって動作する。図２の状態では上刃２と下刃１は未だ遭遇していないが、第１クランプ３と第２クランプ４とは接触する。即ち、図２は第1クランプ３と第2クランプ４によって対象物を挟持する状態を示す。この図２の状態では、それ以上把持力を加えても、第１クランプ３と第２クランプ４とは接触した状態を保って互いに動くことはない。
【００１０】
図2に示すように第1クランプ3と第2クランプ４とが接触した後、更に把持力を加えると、上刃２の延長部２’の従動体１０と第２クランプ４のカム１３とが接触移動して、上刃２が第２クランプ４に対して変位して、図3の状態となる。上刃２の延長部２’は長孔１１を有するので、図2から図３に移動する際に、軸5が長孔１１の端に衝突するまで、上刃２は下刃１に対して位置を変化させる。この結果、上刃２は下刃１に対してスライドしながら接近することになり、対象物へのカット効果が向上し、対象物の切り口が滑らかとなる。
【００１１】
図３はカットの完了した状態を示す。この図３の状態では、長孔１１の一端が軸５に突き当たっており、上刃２はこれ以上移動しない。図２から図３までの間は、上刃２の延長部２’に加えられるカット方向の把持力は、その把持力が強ければ強い程カム１３を経由して全て第２クランプ４に伝わる把持力も強くなり、第１クランプ３と第２クランプ４との挟持効果が向上する。カット完了時には鋏に加える手の力を直接夫々のクランプ３．４に伝えて把持力とすることができるので、対象物の完全な挟持が可能となる。
【００１２】
尚、上刃１や下刃２の構成は両者が共に切刃である必要はなく、一方が平面状の受刃である押し切りタイプであっても良く、また、第１クランプ３も第２クランプ４もそれぞれの刃に可動的に装着されるものであっても良い。また、本願の図２や図３にはカットの対象物を示さなかったが、対象物がある場合も鋏の動作やその状態は全く同じである。
【図面の簡単な説明】
【００１３】
【図１】本発明に係る鋏の一実施例を示す自然状態の背面図である。
【図２】対象物をカットする前における対象物の挟持状態の鋏を示す図である。
【図３】カットが進んだ状態の鋏を示す図である。
【図４】本発明の鋏の構成部品である上刃を示す図である。
【図５】本発明の鋏の構成部品である第2クランプを示す図である。
【図６】従来の鋏を示す図である。
【符号の説明】
【００１４】
１  下刃
２  上刃
３  第1クランプ
４  第2クランプ
５  軸
１０  従動体
１１  長孔
１３  カム
１４  スプリング
【図１】
0003885461.tif 000002
【図２】
0003885461.tif 000003
【図３】
0003885461.tif 000004
【図４】
0003885461.tif 000005
【図５】
0003885461.tif 000006
【図６】
0003885461.tif 000007